(57)【要約】【課題】カバー等の余分な部品を用いることなく簡単な構造のもとにロックアウトを実現する。【解決手段】固定配置したフランジ３の側板３１を押ボタン１３（または操作つまみ）の側面に沿うように配置し、その側板３１及び押ボタン１３にそれぞれロック穴３１ａ，１３ｅを設けておき、押ボタン１３が操作され、当該押ボタン１３がフランジ３の側板３１に対して移動（回転移動）したときに、押ボタン１３のロック穴１３ｅがフランジ３の側板３１のロック穴３１ａに合って、南京錠４の掛け金４１を通すことが可能な貫通穴が形成される構造とする。そして、このように押ボタン１３自体にロック穴を設けることで、カバーなどの操作スイッチ以外の部品を用いることなくロックアウトを実現できるので、スイッチ操作性及びスイッチへの接近性が損なわれることがなくなる。【選択図】図１２
2006049176.tif 000002
【特許請求の範囲】
【請求項１】
接点を有する接点部と、前記接点部の接点を切り替え操作するための手動操作部材を有する操作部とを備えた操作スイッチにおいて、
前記手動操作部材の側面に沿うように配置された側板と、前記手動操作部材と前記側板にそれぞれ形成されたロック穴とを有し、前記手動操作部材が非操作状態であるときに、前記手動操作部材のロック穴が前記側板のロック穴に合って、ロック部材を通すことが可能な貫通穴が形成されるように構成されていることを特徴とする操作スイッチ。
【請求項２】
接点を有する接点部と、前記接点部の接点を切り替え操作するための手動操作部材を有する操作部とを備えた操作スイッチにおいて、
前記手動操作部材の側面に沿うように配置された側板と、前記手動操作部材と前記側板にそれぞれ形成されたロック穴とを有し、前記手動操作部材が操作され、当該手動操作部材が前記側板に対して移動したときに、前記手動操作部材のロック穴が前記側板のロック穴に合って、ロック部材を通すことが可能な貫通穴が形成されるように構成されていることを特徴とする操作スイッチ。
【請求項３】
前記手動操作部材が前記側板に対して回転移動したときに、前記手動操作部材のロック穴が前記側板のロック穴に合う状態、または、前記手動操作部材のロック穴が前記側板のロック穴に合わない状態となるように構成されていることを特徴とする請求項１または２記載の操作スイッチ。
【請求項４】
当該操作スイッチが押ボタンスイッチであって、手動操作部材である押ボタンが押し込まれたときに、前記押ボタンが弾性体の弾性力によって回転して、前記押ボタンのロック穴が前記側板のロック穴に合う状態、または、前記手動操作部材のロック穴が前記側板のロック穴に合わない状態となるように構成されていることを特徴とする請求項３記載の操作スイッチ。
【請求項５】
請求項３または４記載の操作スイッチにおいて、前記押ボタンが押し込まれ、前記接点部の接点が切り替わった直後に前記押ボタンが回転を開始するように構成されているとともに、その押ボタンが回転終点位置にあるときに、前記接点部の接点の切り替えを阻止するための手段が設けられていることを特徴とする操作スイッチ。
【請求項６】
前記手動操作部材に、当該手動操作部材を貫通して両端が手動操作部材の側面で開口する貫通ロック穴と、手動操作部材の前面に開口部を有し、前記貫通ロック穴に連通する前面側ロック穴とが形成されており、前記手動操作部材が操作状態または非操作状態であるときに前記貫通ロック穴が前記側板のロック穴に合うように構成されていることを特徴とする請求項１〜５のいずれかに記載の操作スイッチ。
【発明の詳細な説明】
【技術分野】
【０００１】
本発明は、例えば、押ボタンスイッチ、非常停止スイッチ、回転式のセレクタスイッチなどの操作スイッチに関する。
【背景技術】
【０００２】
制御盤などには、操作対象となる機器の押ボタンスイッチやセレクタスイッチ（切替スイッチ）などの各種の操作スイッチ及び各種の表示ランプ類が配置されている。
【０００３】
また、工作機械等の制御パネルには、例えば、安全装置として押ボタン式の非常停止スイッチが配置されており、非常時にその非常停止スイッチを押込操作することにより、機械の主回路への電源供給を遮断して動作を停止できるようになっている。
【０００４】
制御パネルなどに配置される操作スイッチのうち、非常停止スイッチなど、作業者の安全を確保するスイッチについては、作業者以外の者が勝手に操作できないようにするための対策（ロックアウト）が採られている場合がある。
【０００５】
その防止策としては、例えば、図１４に示すように、スイッチのパネル面に取り付ける固定カバー２０１と、この固定カバー２０１の上端にヒンジ２０３を介して回動自在に支持される可動カバー２０２によって保護カバー２００を構成し、その保護カバー２００の可動カバー２０２に、スイッチ２１０の操作つまみ（回転つまみ）２１１に対応する形状の回転規制用の穴２０２ａを設けるとともに、固定カバー２０１の下部に、南京錠２０４の掛け金２４１を通す穴２０１ａを設け、図１５に示すように、可動カバー２０２を閉鎖した状態で、固定カバー２０１の穴２０１ａに南京錠２０４の掛け金２４１を通して施錠を行うことによって、操作つまみ２１１を回転不可能な状態にする構造が提案されている（例えば、特許文献１参照。）。
【０００６】
さらに、切替スイッチと押ボタンスイッチを備えた操作盤において、押ボタンスイッチを開閉自在に覆うカバーを設け、そのカバーに切替スイッチの操作つまみに対応する形状の回転規制用の穴を形成するとともに、操作つまみの先端部に南京錠の掛け金を通す穴を形成し、前記カバーを閉鎖し操作つまみを先端部をカバーの前方側に突出させた状態で、操作つまみ先端部の穴に南京錠の掛け金を通して施錠を行うことにより、押ボタンスイッチを操作できない状態にする構造が提案されている（例えば、特許文献２参照。）。
【０００７】
また、非常停止スイッチのロックアウト構造についても、例えば図１６（Ａ）及び（Ｂ）に示すように、非常停止スイッチ３１０を開閉自在に覆う開閉カバー３０２を設け、その開閉カバー３０２を閉鎖した状態で開閉カバー３０２の穴３０２ａと固定カバー３０１ａに南京錠３０４の掛け金３４１を通して施錠する構造が採用されている。
【特許文献１】実開昭６０−１１５４２３号公報
【特許文献２】特開平０９−０１９０１５号公報
【発明の開示】
【発明が解決しようとする課題】
【０００８】
ところで、上記した各対策によれば、いずれも、カバーにてスイッチのロックアウトを行う方式であるので、カバーによりスイッチの操作性が損なわれるという問題がある。また、スイッチ以外にカバー等の別部品が必要であり、その部品点数が多くなる。さらに、カバーを開放した状態のときに、そのカバー等の配置スペースが余分に必要になるとともに、カバー開放時の意匠性が悪いという問題がある。
【０００９】
ここで、機械設備に使用される非常停止スイッチについては、ＩＥＣ  ６０２０４−１やＩＳＯ  １３８５０等により、「非常停止スイッチ（非常停止装置）には簡単に接近できるようにすること」、及び、「不注意な操作に対する対策（ロックアウト）は、接近性が損なわれないようにすること」が規定されているが、上記したように、ロックアウト対策としてカバーを設けた場合、カバーが障害物となって接近性が損なわれる場合があり、ＩＥＣ等の国際規格を満足できなくなるおそれがある。
【００１０】
本発明はそのような実情に鑑みてなされたもので、カバー等の余分な部品を用いることなく簡単な構造のもとにロックアウトを実現することができ、しかも、スイッチ操作性が損なわれない構造の操作スイッチを提供することを目的とする。
【課題を解決するための手段】
【００１１】
本発明の操作スイッチは、接点を有する接点部と、前記接点部の接点を切り替え操作するための手動操作部材を有する操作部とを備えた操作スイッチにおいて、前記手動操作部材の側面に沿うように配置された側板と、前記手動操作部材と前記側板にそれぞれ形成されたロック穴とを有し、前記手動操作部材が非操作状態であるときに、前記手動操作部材のロック穴が前記側板のロック穴に合って、ロック部材を通すことが可能な貫通穴が形成されるように構成されていることによって特徴づけられる。
【００１２】
この発明によれば、スイッチの押ボタンまたは操作つまみ等の手動操作部材（以下、解決手段の項では、総称して押ボタンともいう）が非操作状態であるときに、押ボタンのロック穴が側板のロック穴に合って、ロック部材を通すことが可能な貫通穴が形成されるので、その貫通穴に南京錠の掛け金を通して施錠を行うことにより、押ボタンの操作が不可能となる（ロックアウト）。これにより、施錠を行った操作者以外の者による勝手な操作や、操作スイッチへの接触による誤動作を確実に防止することができる。
【００１３】
しかも、押ボタン自体にロック穴を設けるとともに、押ボタンの側方周囲に固定配置（操作部本体に固定配置）した側板にロック穴を設けて、それらロック穴を利用して南京錠等によるロックアウトを行えるようにしているので、従来のようなカバーなどの操作スイッチ以外の部品を用いることなく、簡単な構成のもとにロックアウトを実現することができる。さらに、操作スイッチの周辺にロックアウト機構の部品が突出しない構造とすることが可能であるので、操作スイッチの操作性及び操作スイッチへの接近性が損なわれることがない。
【００１４】
本発明の操作スイッチは、接点を有する接点部と、前記接点部の接点を切り替え操作するための手動操作部材（操作ボタンまたは操作つまみ）を有する操作部とを備えた操作スイッチにおいて、前記手動操作部材の側面に沿うように配置された側板と、前記手動操作部材と前記側板にそれぞれ形成されたロック穴とを有し、前記手動操作部材が操作され、当該手動操作部材が前記側板に対して移動したときに、前記手動操作部材のロック穴が前記側板のロック穴に合って、ロック部材を通すことが可能な貫通穴が形成されるように構成されていることによって特徴づけられる。
【００１５】
この発明によれば、スイッチの押ボタンまたは操作つまみ等の手動操作部材（以下、解決手段の項では、総称して押ボタンともいう）を操作したときに、押ボタンのロック穴が側板のロック穴に合って、ロック部材を通すことが可能な貫通穴が形成されるので、その貫通穴に南京錠の掛け金を通して施錠を行うことにより、押ボタンの操作が不可能となる（ロックアウト）。これにより、施錠を行った操作者以外の者による勝手な操作や、操作スイッチへの接触による誤動作を確実に防止することができる。
【００１６】
しかも、押ボタン自体にロック穴を設けるとともに、押ボタンの側方周囲に固定配置（操作部本体に固定配置）した側板にロック穴を設けて、それらロック穴を利用して南京錠等によるロックアウトを行えるようにしているので、従来のようなカバーなどの操作スイッチ以外の部品を用いることなく、簡単な構成のもとにロックアウトを実現することができる。さらに、操作スイッチの周辺にロックアウト機構の部品が突出しない構造とすることが可能であるので、操作スイッチの操作性及び操作スイッチへの接近性が損なわれることがない。特に、非常停止スイッチにおいて、スイッチへの接近性が損なわれないことはＩＥＣ等の国際規格を準拠する上で有効な効果である。
【００１７】
本発明において、前記押ボタンが前記側板に対して回転移動したときに、前記押ボタンのロック穴が前記側板のロック穴に合う状態（または押ボタンのロック穴が側板のロック穴に合わない状態）となるように構成されていることが好ましい。特に、本発明を適用する操作スイッチが押ボタンスイッチである場合、手動操作部材である押ボタンが押し込まれたときに、押ボタンが弾性体の弾性力によって回転して、押ボタンのロック穴が側板のロック穴に合うように構成されていることが好ましい。このような構成を採用をすると、以下のような作用効果を達成することができる。
【００１８】
まず、非常停止スイッチ等の押ボタンスイッチにおいて、押ボタンに設けるロック穴と側板に設けるロック穴とを、押ボタンの押込み方向において位置をずらして配置した構造とすると、押込のストロークが短い場合、図１３に示すように、押ボタンを押込操作していない状態で、押ボタン側のロック穴１０１と側板側のロック穴１０２の一部が重なり合ってしまい、その重なり部分１３に細い針金などを挿し込むことにより、押ボタンスイッチの操作を意図的に妨害することができる。また、南京錠の掛け金の径が、ロック穴の径よりも小さくてガタがある場合、そのガタの存在により、施錠をしているのにも関わらず、接点が切り替わってしまう危険性がある。従って、ロックアウトを確実にするには、ロック穴の径を南京錠の掛け金の径にぴったりと合わせる必要があり、設計の自由度が狭くなる等の問題がある。
【００１９】
これに対し、押ボタンが回転したときに、押ボタンのロック穴が側板のロック穴に合う構造とすると、回転方向において押ボタンのロック穴と側板のロック穴とをずらす距離を確保することができるので、押ボタンの押込ストロークが短くても、前記した押ボタンのロック穴と側板のロック穴との重なり合いが生じない構造とすることができる。
【００２０】
また、押ボタンを回転構造とする場合、押ボタンが押し込まれ、接点部の接点が切り替わった直後に押ボタンが回転を開始するように構成するとともに、その押ボタンが回転終点位置にあるときに、接点部の接点の切り替えを阻止するための手段（例えば、図８に示すフランジ３のストッパ３２と押ボタン１３の係止溝１３ｃの係止面１３ｄ等）を設けておくと、押ボタンが押込み方向または反押込み方向に多少動いても、その動きで接点部の接点が切り替わることがなくなる。
【００２１】
本発明の操作スイッチにおいて、押ボタンや操作つまみ等の手動操作部材に、当該手動操作部材を貫通して両端が手動操作部材の側面で開口する貫通ロック穴と、手動操作部材の前面に開口部を有し、前記貫通ロック穴に連通する前面側ロック穴とを形成しておき、手動操作部材が操作状態または非操作状態であるときに前記貫通ロック穴が前記側板のロック穴に合うように構成してもよい。
【発明の効果】
【００２２】
本発明の操作スイッチによれば、押ボタン（または操作つまみ等）を操作したときに（または非操作状態のときに）、押ボタンのロック穴が側板のロック穴に合って、ロック部材を通すことが可能な貫通穴が形成されるので、その貫通穴に南京錠の掛け金を通して施錠を行うことにより、押ボタンの操作が不可能となる（安全ロックアウト）。これにより、施錠を行った操作者以外の者による勝手な操作や、操作スイッチへの接触による誤動作等を確実に防止することができる。また、従来のようなカバーなどの操作スイッチ以外の部品を用いることなく、簡単な構成のもとにロックアウトを実現することができる。さらに、操作スイッチの周辺にロックアウト機構の部品が突出しない構造とすることが可能であるので、操作スイッチの操作性及び操作スイッチへの接近性が損なわれることもない。
【発明を実施するための最良の形態】
【００２３】
以下、本発明の実施形態を図面に基づいて説明する。
【００２４】
本発明を非常停止スイッチ（プッシュロックターンリセット式押ボタンスイッチ）に適用した例を、図１〜図１１を参照しながら詳細に説明する。
【００２５】
この例の非常停止スイッチは、操作部１、接点部２及びフランジ３を備えている。接点部２には、図示はしないが、接点部アクチュエータを有するＢ接点が内蔵されている。
【００２６】
操作部１は、円筒形状の操作部本体１１、操作部アクチュエータ１２及び押ボタン１３を備えている。操作部アクチュエータ１２は、操作部本体１１内に摺動自在に嵌め込まれており、この操作部アクチュエータ１２の前端に正面円形の押ボタン１３が設けられている。押ボタン１３は、操作部本体１１に対し軸方向に摺動自在であり、また、操作部本体１１の中心軸を中心として回転自在となっている。
【００２７】
操作部本体１１には、前面側が開放された円形筒状のフランジ３が固定されている。フランジ３の側板３１は、円形状の押ボタン１３の側面に沿って配置されている。また、操作部本体１１にはフランジ３の後方側に雄ねじ部１１ａが形成されている。
【００２８】
そして、以上の操作部１は、図示はしないが、操作パネルの取付穴にパネル表側から挿入し、操作部本体１１に一体的に固定されたフランジ３の背面を操作パネルの表面に当接させた状態で、操作パネルの裏面側から締付ナット１４を雄ねじ部１１ａにねじ込んで締め付けることにより操作パネルに固定される。なお、操作部本体１１の雄ねじ部１１ａの後方側には円筒形状の連結部１１ｂが設けられている（図３参照）。この連結部１１ｂの外周面には連結溝１１ｃ等が形成されており、その連結溝１１ｃ等を利用して、接点部２を操作部１に連結することができる。
【００２９】
操作部アクチュエータ１２には、図２、図６及び図１０に示すように、係止爪１２ａ及びフランジ状のばね座１２ｂが設けられている。このばね座１２ｂと、押ボタン１３の内面側のばね突当面１３ｇとの間にねじりコイルばね１０が挟み込まれている。ねじりコイルばね１０の一端部（先端部）は、押ボタン１３のばね突当面１３ｇに設けられた係止穴１３ｈ（図２参照）に係止されており、ねじりコイルばね１０の他端部（後端部）は、操作部アクチュエータ１２のばね座１２ｂに設けられた係止穴１２ｃに係止されている。
【００３０】
一方、操作部本体１１の内部にロック片１５が設けられている。ロック片１５は、操作部本体１１の軸方向（操作方向）と直交する方向に変位が可能である。ロック片１５と操作部本体１１の内面との間には、ロック片１５を操作部本体１１の中心に向けて押圧する押圧ばね（コイルばね）１６が配置されている。
【００３１】
そして、ロック片１５は、押ボタン１３の操作により、操作部アクチュエータ１２が図６に示す位置から接点部２側に向けて押し込まれたときに、操作部アクチュエータ１２の係止爪１２ａにて外方に押され、その係止爪１２ａを乗り越えた後に、係止爪１２ａの前端面に当接（係止）して操作部アクチュエータ１２の動きをロックする（図１０）。また、このようなロック状態から、押ボタン１３の操作により、押ボタン１３が押込み方向と逆向きに移動したときに、係止爪１２ａとロック片１５との係合が解除される。なお、押ボタン１３の操作に伴う動作の詳細は後述する。
【００３２】
押ボタン１３の側面には、図２に示すように、ガイド溝１３ａとこのガイド溝１３ａに連通して周方向に沿って延びる係止溝１３ｃが形成されている。また、フランジ３の側板３１の内面にはストッパ３２が形成されており、押ボタン１３を操作部本体１１に後述する要領で装着した状態で、フランジ３のストッパ３２が押ボタン１３の側面のガイド溝１３ａ内に配置される（押込み前の状態での配置）。なお、フランジ３のストッパ３２と、押ボタン１３のガイド溝１３ａ及び係止溝１３ｃとは、それぞれ、２箇所に設けられている。
【００３３】
押ボタン１３には２つの貫通ロック穴１３ｅ，１３ｅが互いに並行に形成されている。これら２つの貫通ロック穴１３ｅ，１３ｅは、押込み方向と直交する方向において押ボタン１３を貫通しており、その両端がそれぞれ押ボタン１３の側面で開口している。また、押ボタン１３の前面には、２つの前面側ロック穴１３ｆ，１３ｆが形成されている。その各前面側ロック穴１３ｆ，１３ｆは押込み方向と平行に延びる穴であって、それぞれが対応する貫通ロック穴１３ｅに連通している。
【００３４】
また、フランジ３の側板３１には４つのロック穴３１ａ・・３１ａが形成されている。これら４つのロック穴３１ａ・・３１ａの円周方向における角度ピッチ及び開口面積は、押ボタン１３の２つの貫通ロック穴１３ｅ，１３ｅの各両端の開口部１３ｉ，１３ｉに対応している。
【００３５】
さらに、フランジ３のロック穴３１ａ・・３１ａと、押ボタン１３の各貫通ロック穴１３ｅ，１３ｅの開口部１３ｉ・・１３ｉとの位置関係について説明すると、押ボタン１３が押込み前の状態のときには、図７に示すように、フランジ３のロック穴３１ａに対して貫通ロック穴１３ｅの開口部１３ｉが円周方向に、後述する押ボタン１３の回転量に相当する距離だけずれており、ロック穴３１ａと貫通ロック穴１３ｅとは完全に重なり合う部分がない状態になっている。一方、押込み後の状態のときには、貫通ロック穴１３ｅの開口部１３ｉの全てがフランジ３のロック穴３１ａに一致するようになっている。
【００３６】
次に、本実施形態の特徴部分について説明する。
【００３７】
−押ボタンの回転力付与について−
押ボタン１３は、前記したように、操作部本体１１に対し軸方向に摺動自在にかつ回転自在な状態で取り付けられるが、この操作部本体１１への取り付けの際に、ねじりコイルばね１０を、図２に示す矢印Ｘの向きにねじた状態で操作部本体１１に装着するとともに、フランジ３の側板３１のストッパ３２を、押ボタン１３の側面のガイド溝１３ａに嵌め込む。この状態（ボタン押込み前の状態）で、ねじりコイルばね１０の弾性力（復元力）により、押ボタン１３は図２に示す矢印Ｙの向きに回転しようとするが、フランジ３のストッパ３２が押ボタン１３のガイド溝１３ａの規制面１３ｂに当たって、押ボタン１３の回転が規制される（図４）。これにより、ねじりコイルばね１０の弾性力によって押ボタン１３に図２に示す矢印Ｙの向きの回転力が付勢される。
【００３８】
そして、押ボタン１３の押し込みにより、フランジ３のストッパ３２がガイド溝１３ａの規制面１３ｂに沿って移動し、その規制面１３ｂと係止溝１３ｃの係止面１３ｄとの角部を越えた時点で、ストッパ３２による押ボタン１３の回転規制が解除されて（図８）、押ボタン１３が矢印Ｙの向きに回転する。なお、ボタン押込み前の状態のストッパ３２の位置と、ストッパ３２が上記角部を越える位置までの距離は、押ボタン１３のストロークに対応する距離に設定されている。すなわち、ｂ接点が開離し、なおかつ開離状態を保持する距離に設定されている。
【００３９】
−押ボタンの操作及びロックアウトについて−
図４及び図７に示す状態（ボタン押込み前の状態）から、押ボタン１３が押し込まれると、ねじりコイルばね１０が圧縮（押込み方向の圧縮）されるとともに、操作部アクチュエータ１２が接点部２側に向けて移動する。この操作部アクチュエータ１２の移動過程において、接点部２の接点部アクチュエータ（図示せず）が移動するとともに、操作部本体１１内部のロック片１５が操作部アクチュエータ１２の係止爪１２ａにて外方に押され、その係止爪１２ａを乗り越えときに接点部２のＢ接点（図示せず）が開離してＯＦＦ状態となる。さらに、Ｂ接点が開離した直後に、前記したフランジ３のストッパ３２による押ボタン１３の回転規制が解除され、押ボタン１３がねじりコイルばね１０の弾性力（復元力）によって回転を開始し、係止溝１３ｃ内にストッパ３２が入り込む。そして、押ボタン１３が回転終点まで回転した状態で、図８及び図１１に示すように、押ボタン１３の係止溝１３ｃ内にストッパ３２が配置されるとともに、押ボタン１３の貫通ロック穴１３ｅの開口部１３ｉの全てがフランジ３のロック穴３１ａに一致する。
【００４０】
このように、押込み後の状態のときには、押ボタン１３の貫通ロック穴１３ｅの開口部１３ｉとフランジ３のロック穴３１ａとが一致するので、図１２に示すように、南京錠４の掛け金４１をフランジ３のロック穴３１ａを通じて押ボタン１３の貫通ロック穴１３ｅに挿し込み、その掛け金４１を貫通ロック穴１３ｅに貫通させた後に、フランジ３の他方側のロック穴３１ａを通じて外部に突出させて施錠を行うことによってロックアウトを行うことができる。
【００４１】
また、押ボタン１３の前面側ロック穴１３ｆを利用して、ロックアウトを行うこともできる。例えば、図１２に示すように、複数（６つ）のロックが可能なロックハスプ（掛け金）５を用い、そのロックハスプ５の一対のロック部材５１，５１を開いた状態で、一方のロック部材５１を押ボタン１３の前面側ロック穴１３ｆから貫通ロック穴１３ｅに通し、他方のロック部材５１をフランジ３の側板３１のロック穴３１ａに通した状態でロックハスプ５を閉じて、前面側ロック穴１３ｆ、貫通ロック穴１３ｅ及びフランジ３のロック穴３１ａにロック部材５１，５１を通し、この後、ロックハスプ５の各ロック穴５２・・５２に短い掛け金の南京錠を施錠するという使用方法を採れば、７人の作業員について安全性を確保することが可能になる。なお、このような複数のロックが可能なロックハスプ５に替えて、短い掛け金の南京錠を、押ボタン１３の前面側ロック穴１３ｆを利用して施錠するようにしてもよい。
【００４２】
ここで、この例では、接点部２のＢ接点が開離した直後に押ボタン１３が回転し（ねじりコイルばね１０による回転）、この押ボタン１３の回転が開始された以後は、フランジ３のストッパ３２と押ボタン１３の係止溝１３ｃの係止面１３ｄによって、押ボタン１３の押込み方向の移動が規制されるので（図８）、押ボタン１３が押込み方向に多少動くことはあっても、その動きで接点部２の接点が切り替わることがなくなる。
【００４３】
−ロックアウト解除について−
ロックアウトの解除を行う場合、押ボタン１３に南京錠４等を掛けた作業者が、各々の南京錠４の施錠を開放し、最後の施錠開放を行った作業者が、南京錠４の掛け金４１の押ボタン１３から抜き取った後、押ボタン１３を上記したねじりコイルばね１０による回転方向とは逆向きに、ねじりコイルばね１０の弾性力に抗して回転させる。
【００４４】
この回転過程において、操作アクチュエータ１２の係止爪１２ａと操作部本体１１のロック片１５との係合が解除されるとともに、フランジ３のストッパ３２が、押ボタン１３の係止溝１３ｃの係止面１３ｄに沿って移動し、その係止溝１３ｃの係止面１３ｄとガイド溝１３ａの規制面１３ｂとの角部を越えた時点で、係止面１３ｄによるストッパ３２の係止が解除され、ねじりコイルばね１０の弾性力（押込み方向の復元力）によって、押ボタン１３が押込み方向の逆向き（接点部２に対して離反する向き）に移動し、接点部２のＢ接点がＯＮ状態となり、図４〜図７に示すような操作前の状態に戻る。
【００４５】
以上の例では、接点部にＢ接点を設けた例を示したが、本発明はこれに限られることなく、接点部にＡ接点（常時開）を設けておいてもよい。また、１つの押ボタンスイッチに複数の接点を設ける場合、全ての接点をＡ接点またはＢ接点としてもよいし、Ａ接点とＢ接点を組み合わせた構成としてもよい。
【００４６】
以上の例では、本発明を非常停止スイッチに適用した例を示しているが、本発明はこれに限られることなく、一般的な押ボタンスイッチ、回転式のセレクタスイッチなどの他の操作スイッチにも適用可能である。
【００４７】
以上の例では、押ボタンを操作したときに、押ボタンの貫通ロック穴と側板のロック穴とが合うように構成しているが、本発明はこれに限られることなく、押ボタン等の手動操作部材が非操作状態であるときに、手動操作部材の貫通ロック穴と側板のロック穴とが、一致し、手動操作部材を操作したときに、手動操作部材の貫通ロック穴と側板のロック穴とが完全に重なり合う部分がない状態となるように構成してもよい。この場合、手動操作部材を操作したときに、操作手動部材がねじりコイルばね等の弾性体の弾性力によって回転して、貫通ロック穴と側板のロック穴とが完全に重なり合う部分がない状態となるようにしてもよい。
【産業上の利用可能性】
【００４８】
本発明は、押ボタンスイッチ、非常停止スイッチ、回転式のセレクタスイッチなどの操作スイッチにおいて、簡単な構造のもとにロックアウトを実現するのに利用することができる。
【図面の簡単な説明】
【００４９】
【図１】本発明を適用した非常停止スイッチの一例を示す斜視図である。
【図２】図１の非常停止スイッチの操作部の分解斜視図である。
【図３】図１の非常停止スイッチの操作部の平面図である。
【図４】図１の非常停止スイッチ（押込み前の状態）を示す斜視図である。
【図５】図１の非常停止スイッチの操作部（押込み前の状態）を示す正面図（Ａ）と側面図（Ｂ）を併記して示す図である。
【図６】図５のＣ−Ｃ断面図（Ａ）とＤ−Ｄ断面図（Ｂ）を併記して示す図である。
【図７】図６のＥ−Ｅ断面図である。
【図８】図１の非常停止スイッチ（押込み後の状態）を示す斜視図である。
【図９】図１の非常停止スイッチの操作部（押込み後の状態）を示す正面図（Ａ）と側面図（Ｂ）を併記して示す図である。
【図１０】図９のＦ−Ｆ断面図（Ａ）とＧ−Ｇ断面図（Ｂ）を併記して示す図である。
【図１１】図９のＨ−Ｈ断面図である。
【図１２】図１の非常停止スイッチを使用状態で示す斜視図である。
【図１３】ロック穴をスイッチの押込み方向に配置した場合の問題点の説明図である。
【図１４】従来の操作スイッチのロックアウト構造の一例を示す斜視図である。
【図１５】同じくロックアウト構造の一例を示す正面図である。
【図１６】従来の操作スイッチのロックアウト構造の他の例を模式的に示す側面図である。
【符号の説明】
【００５０】
１  操作部
１０  ねじりコイルばね
１１  操作部本体
１１ａ  雄ねじ部
１１ｂ  連結部
１１ｃ  連結溝
１２  操作部アクチュエータ
１２ａ  係止爪
１２ｂ  ばね座
１２ｃ  係止穴
１３  押ボタン（手動操作部材）
１３ａ  ガイド溝
１３ｂ  規制面
１３ｃ  係止溝
１３ｄ  係止面
１３ｅ  貫通ロック穴
１３ｆ  前面側ロック穴
１３ｇ  ばね突当面
１３ｈ  係止穴
１４  締付ナット
１５  ロック片
１６  押圧ばね（コイルばね）
２  接点部
３  フランジ
３１  側板
３１ａ  ロック穴
３２  ストッパ
４  南京錠
４１  掛け金
５  ロックハスプ
５１  ロック部材
５２  ロック穴
【図１】
2006049176.tif 000003
【図２】
2006049176.tif 000004
【図３】
2006049176.tif 000005
【図４】
2006049176.tif 000006
【図５】
2006049176.tif 000007
【図６】
2006049176.tif 000008
【図７】
2006049176.tif 000009
【図８】
2006049176.tif 000010
【図９】
2006049176.tif 000011
【図１０】
2006049176.tif 000012
【図１１】
2006049176.tif 000013
【図１２】
2006049176.tif 000014
【図１３】
2006049176.tif 000015
【図１４】
2006049176.tif 000016
【図１５】
2006049176.tif 000017
【図１６】
2006049176.tif 000018